(57)【要約】【課題】本発明は、セルの再選択方法および装置を開示した。本発明は無線通信分野に関し、特にセルの再選択方法および装置に関し、ＵＥがＭＢＭＳデータを受信する連続性を高める。【解決手段】当該方法および装置は、アイドル状態である端末が、伝送中のマルチメディアブロードキャスト・マルチキャストサービスＭＢＭＳの情報を獲得するステップと、前記端末が、ＭＢＭＳ伝送が位置する周波数点の優先順位を最も高く設定するステップと、前記端末が、設定後の周波数点の優先順位に基づき、セルを再選択するステップとを備える。本発明により、ＵＥがＭＢＭＳデータを受信する連続性を高めることができる。
2014516230.tif 000002
【特許請求の範囲】
【請求項１】
アイドル状態である端末が、伝送中のマルチメディアブロードキャスト・マルチキャストサービスＭＢＭＳの情報を獲得するステップと、  
前記端末が、ＭＢＭＳ伝送が位置する周波数点の優先順位を最も高く設定するステップと、
前記端末が、設定後の周波数点の優先順位に基づき、セルを再選択するステップとを備えることを特徴とするセルの再選択方法。
【請求項２】
アイドル状態である端末が伝送中のＭＢＭＳの情報を獲得後、かつＭＢＭＳ伝送が位置する周波数点の優先順位を最も高く設定する前に、前記方法は、
前記端末が、ＭＢＭＳ伝送が位置する周波数点のセルに常駐するステップをさらに備えることを特徴とする請求項１に記載のセルの再選択方法。
【請求項３】
前記端末が、ＭＢＭＳ伝送が位置する周波数点のセルに常駐後、かつ前記端末設定後の周波数点の優先順位に基づき、セルを再選択する前に、前記方法は、
前記端末が、ＭＢＭＳ伝送が位置する周波数点のセルにてＭＢＭＳデータを受信するステップをさらに備えることを特徴とする請求項２に記載のセルの再選択方法。
【請求項４】
アイドル状態である端末が伝送中のＭＢＭＳの情報を獲得後、かつ前記端末がＭＢＭＳ伝送が位置する周波数点のセルに常駐する前に、当該方法は、
前記端末が、伝送中のＭＢＭＳにおいて自身が興味を持つＭＢＭＳが存在するか否かを判断するステップをさらに備え、
前記端末のＭＢＭＳ伝送が位置する周波数点のセルにおける常駐は、
前記端末が、伝送中のＭＢＭＳにおいて自身が興味を持つＭＢＭＳが存在すると判断した場合、ＭＢＭＳ伝送が位置する周波数点のセルに常駐することを特徴とする請求項２に記載のセルの再選択方法。
【請求項５】
アイドル状態である端末が伝送中のＭＢＭＳの情報を獲得後、かつＭＢＭＳ伝送が位置する周波数点の優先順位を最も高く設定する前に、前記方法は、
前記端末が、伝送中のＭＢＭＳにおいて自身が興味を持つＭＢＭＳが存在するか否かを判断するステップをさらに備え、
前記ＭＢＭＳ伝送が位置する周波数点の優先順位を最も高く設定することは、
前記端末が伝送中のＭＢＭＳのうちに、自身が興味を持つＭＢＭＳが存在すると判断した場合、ＭＢＭＳ伝送が位置する周波数点の優先順位を最も高く設定するステップを備えることを特徴とする請求項１に記載のセルの再選択方法。
【請求項６】
前記端末が設定後の周波数点の優先順位に基づき、セルを再選択後、前記方法は、
もし前記端末が、ＭＢＭＳ伝送が位置する周波数点のセルを再選択すれば、ＭＢＭＳ伝送が位置する周波数点のセルにてＭＢＭＳデータを受信するステップをさらに備えることを特徴とする請求項５に記載のセルの再選択方法。
【請求項７】
もし端末が後続のセルの再選択過程にてＭＢＭＳ伝送が位置する周波数点以外の他の周波数点のセルを再選択し、かつ現在の端末がいまだ前記ＭＢＭＳデータを受信し続けなければならないならば、端末はＭＢＭＳ伝送が位置する周波数点の優先順位を最も高く保持し、かつ後続のセルの再選択過程を実行するステップ、または、
もしＭＢＭＳ伝送が終了する、または、端末が前記ＭＢＭＳデータを受信し続けなくてもよいならば、端末は、ＭＢＭＳ伝送が位置する周波数点の優先順位をネットワーク側が当該周波数点に割り当てる優先順位に回復し、かつ後続のセルの再選択過程を実行するステップをさらに備えることを特徴とする請求項３または請求項６に記載のセルの再選択方法。
【請求項８】
アイドル状態である端末が伝送中のＭＢＭＳの情報を獲得する前に、前記方法は、
前記端末が、ＭＢＭＳデータを現在受信しなければならないか否かを判断するステップをさらに備え、  
前記端末による伝送中のＭＢＭＳの情報の獲得は、
前記端末がＭＢＭＳデータを現在受信しなければならないと判断後、伝送中のＭＢＭＳの情報を獲得することを特徴とする請求項１〜６に記載のセルの再選択方法。
【請求項９】
アイドル状態である場合、伝送中のマルチメディアブロードキャスト・マルチキャストサービスＭＢＭＳの情報を獲得する、情報獲得ユニットと、
ＭＢＭＳ伝送が位置する周波数点の優先順位を最も高く設定する、優先順位設定ユニットと、
設定後の周波数点の優先順位に基づき、セルを再選択する、セルの再選択ユニットとを備えることを特徴とする端末。
【請求項１０】
伝送中のＭＢＭＳの情報を獲得後、かつＭＢＭＳ伝送が位置する周波数点の優先順位を最も高く設定する前に、ＭＢＭＳ伝送が位置する周波数点のセルに常駐する、常駐ユニットをさらに備えることを特徴とする請求項９に記載の端末。
【請求項１１】
ＭＢＭＳ伝送が位置する周波数点のセルに常駐後、かつ設定後の周波数点の優先順位に基づき、セルを再選択する前に、ＭＢＭＳ伝送が位置する周波数点のセルにてＭＢＭＳデータを受信する、第１受信ユニットをさらに備えることを特徴とする請求項１０に記載の端末。
【請求項１２】
伝送中のＭＢＭＳの情報を獲得後、かつＭＢＭＳ伝送が位置する周波数点のセルに常駐する前に、伝送中のＭＢＭＳにうち自身が興味を持つＭＢＭＳが存在するか否かを判断する、第１判断ユニットをさらに備え、
前記常駐ユニットは、
伝送中のＭＢＭＳにおいて自身が興味を持つＭＢＭＳが存在すると判断した場合、ＭＢＭＳ伝送が位置する周波数点のセルに常駐することを特徴とする請求項１０に記載の端末。  
【請求項１３】
伝送中のＭＢＭＳの情報を獲得後、かつＭＢＭＳ伝送が位置する周波数点の優先順位を最も高く設定する前に、伝送中のＭＢＭＳのうちに自身が興味を持つＭＢＭＳが存在するか否かを判断する、第２判断ユニットを備え、
前記優先順位設定ユニットは、
伝送中のＭＢＭＳにおいて自身が興味を持つＭＢＭＳが存在すると判断した場合、ＭＢＭＳ伝送が位置する周波数点の優先順位を最も高く設定することを特徴とする請求項９に記載の端末。
【請求項１４】
設定後の周波数点の優先順位に基づき、セルを再選択後、もしＭＢＭＳ伝送が位置する周波数点のセルを再選択すれば、ＭＢＭＳ伝送が位置する周波数点のセルにてＭＢＭＳデータを受信する、第２受信ユニットをさらに備えることを特徴とする請求項１３に記載の端末。
【請求項１５】
前記優先順位設定ユニットは、もし後続のセルの再選択過程にてＭＢＭＳ伝送が位置する周波数点以外の他の周波数点のセルを再選択し、かつ現在の端末がいまだ前記ＭＢＭＳデータを受信し続けなければならないならば、ＭＢＭＳ伝送が位置する周波数点の優先順位を最も高く保持するか、または、
もしＭＢＭＳ伝送が終了する、または、端末が前記ＭＢＭＳデータを受信し続けなくてもよいならば、ＭＢＭＳ伝送が位置する周波数点の優先順位をネットワーク側が当該周波数点に割り当てる優先順位に回復することを特徴とする請求項１１または請求項１４に記載の端末。
【請求項１６】
伝送中のＭＢＭＳの情報を獲得する前に、ＭＢＭＳデータを現在受信しなければならないか否かを判断する、第３判断ユニットをさらに備え、
前記情報獲得ユニットは、
ＭＢＭＳデータを現在受信しなければならないと判断後、伝送中のＭＢＭＳの情報を獲得することを特徴とする請求項９〜１４に記載の端末。
【発明の詳細な説明】
【技術分野】
【０００１】
本発明は無線通信分野に関し、特にセルの再選択方法および装置に関する。
【背景技術】
【０００２】
マルチメディアブロードキャスト・マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ，  ＭＢＭＳ）は、無線セルにおけるユーザーにマルチメディアブロードキャストとマルチキャストサービスを提供する。ロングターム・エボリューション（Ｌｏｎｇ  Ｔｅｒｍ  Ｅｖｏｌｕｔｉｏｎ，ＬＴＥ）システムにおいて、ＭＢＭＳ専用の周波数層および非ＭＢＭＳサービスと共有する周波数層のいずれの層においても、ＭＢＭＳを提供できる。ＭＢＭＳを支援するＬＴＥセルは、ＭＢＭＳ専用セルでもよく、ＭＢＭＳ／ユニキャスト混合セルでもよい。ＭＢＭＳサービスは、シングル・セル伝送を行うことができ、マルチ・セル伝送を行うこともできる。ＭＢＭＳのマルチ・セル伝送は、マルチキャスト・ブロードキャスト・単一周波数ネットワーク（Ｍｕｌｔｉｍｅｄｉａ  Ｂｒｏａｄｃａｓｔ  Ｍｕｌｔｉｃａｓｔ  ｓｅｒｖｉｃｅ  Ｓｉｎｇ１ｅ  Ｆｒｅｑｕｅｎｃｙ  Ｎｅｔｗｏｒｋ，ＭＢＳＦＮ）伝送方式を支援しなければならない。  
【０００３】
いわゆるＭＢＳＦＮ伝送方式は、同一時間に、同様の周波数により、複数セルにて同期伝送することを表す。つまり、同一ＭＢＳＦＮエリアにおけるセルを同一周波数セルとする。このような伝送方式を用いれば、周波数リソースを節約でき、周波数スペクトル利用率を高める。これは複数セルが完全に同じ内容を同時に送信することが求められる。こうすると、端末（Ｕｓｅｒ  Ｅｑｕｉｐｍｅｎｔ，ＵＥ）受信機は、複数ＭＢＳＦＮセルを１つの大きなセルとみなすことができる。よって、ＵＥは隣接セルが伝送するセル間干渉を受けないことだけでなく、さらに複数ＭＢＳＦＮセルからの信号の重畳にとって利益となる。  
ＭＢＭＳ専用セルとＭＢＭＳ／ユニキャスト混合セルは、ＭＢＳＦＮ伝送方式を用いることができる。この他に、もし先進のＵＥ受信機技術を利用すれば、さらにマルチパス放送の時間差という問題を解決できる。これにより、セル内干渉を取り除く。このようなマルチ・セル同一周波数伝送がもたらすダイバシティ效果は、さらにブラインドゾーンカバレッジ等の問題を解決でき、受信の信頼性を強化し、カバレッジ率を高める。  
【０００４】
ＭＢＭＳマルチ・セル伝送の技術における特徴として、ＭＢＳＦＮエリア内のＭＢＭＳの同期伝送と、マルチ・セルＭＢＭＳ伝送の合併を支援することと、ＭＢＳＦＮエリアは半静的配置ができることなどがある。例えば、操作により、エンティティ（Ｏｐｅｒａｔｉｏｎ  ａｎｄ  Ｍａｉｎｔｅｎａｎｃｅ，Ｏ＆Ｍ）を維持する。  
【０００５】
図１は、ＭＢＭＳサービスエリアとＭＢＳＦＮエリア等の関係を示す図である。ＭＢＭＳサービスエリアは、１つまたは複数サービス識別子により構成され、各サービス識別子は、１つまたは複数セルまでマッピングする。  
【０００６】
ＭＢＳＦＮエリアは、同期エリア内の1組のセルにより構成される。これらセルは、ＭＢＳＦＮ同期送信し、ＭＢＳＦＮエリアは、事業者の戦略に基づき、計画を実行する。ＭＢＳＦＮエリア予備セルも同期エリアに属し、当該セルはＭＢＳＦＮ送信を行わない。  
【０００７】
現在、ＬＴＥのバージョンアップ１１（Ｒｅ１−１１）においては、周波数点によるＭＢＭＳ伝送の状況しか考慮できない。  
【０００８】
ＬＴＥシステムにおいて、ＵＥがアイドル状態にある場合、セルを再選択し続けなければならず、優先順位がより高い／チャネル品質がより良いセルに常駐できるようにする。ネットワークは、周波数点の優先順位を設定することにより、ＵＥ常駐セルを制御するという目的に達することができる。同時に、ＵＥは某周波数点にてチャネル品質が最も良いセルを選択し、より良いサービスを提供できるようにする。ＵＥはセルを再選択し、常駐する。当該常駐セルは、セルの再選択の基準を満たさなければならない以外に、セルが選択するチャネル品質要求も満たさなければならない。そうでなければ、再選択できない。      
【０００９】
アイドル状態であるＵＥは、周波数点の優先順位に基づき、セルの再選択ルールを遵守する。以下、詳細に説明する。
【００１０】
周波数点の優先順位がより高い目下の周波数点に常駐する周波数点について、ＵＥは、常にそれらを測定すべきである。さらに、もし優先順位の高い周波数点のセルがチャネル品質しきい値を満たし、かつ一定時間持続すれば、ＵＥは当該セルを再選択する。
【００１１】
周波数点の優先順位に等しい、または優先順位より低い目下の周波数点に常駐する周波数点について、ＵＥのサービスセルチャネル品質しきい値が１レベル低い場合、測定を起動する。  
【００１２】
さらに、優先順位の同じ周波数点（同一周波数を含む）について、全セルに対し、チャネル品質に基づき順位付けを行う。もしチャネル品質が最も強いセルのチャネル品質が一定時間内に全て目下の常駐セルより高いならば、ＵＥは当該セルを再選択する。
【００１３】
優先順位の低い周波数点について、もし前記再選択条件を満たす優先順位の高いまたは優先順位の同じ周波数点のセルがなければ、一定時間内に、もし目下の常駐セルのチャネル品質が某しきい値より低い、かつ優先順位の低い周波数点のセルチャネル品質がしきい値より高ければ、ＵＥは当該セルを再選択する。  
【００１４】
再選択評価の前に、他のセルに対する測定を先に起動しなければならないため、ＵＥが常駐する周波数点の優先順位が優先順位の最も高い場合、ＵＥの目下の常駐セルのチャネル品質が一定のしきい値より低い場合のみ、ＵＥは他のセルに対する測定を起動し、再選択評価を行う。本周波数点に適切なセルがない場合のみ、他の周波数点を再選択する可能性がある。  
【００１５】
現在のＬＴＥシステムにおいて、周波数点の優先順位は、０〜７の整数である。即ち、８つの周波数点の優先順位を含む。ここで、０は優先順位が最も低く、７は優先順位が最も高い。
【先行技術文献】
【特許文献】
【００１６】
【特許文献１】中国特許出願第１０２２０２２６５号明細書
【発明の概要】
【発明が解決しようとする課題】
【００１７】
本発明の実現過程において、発明者は従来技術における以下の技術問題を発見した。  
ＬＴＥシステムにおいて、アイドル状態であるＵＥはセルを再選択し続けなければならず、優先順位がより高い／チャネル品質がより良いセルに常駐できるようにする。しかし、ＭＢＭＳに興味を持つＵＥにとって、セルを再選択し続けることは、ＵＥがＭＢＭＳデータを受信する連続性を確保できなくなることを意味する。これは、ＵＥが随時、他のＭＢＭＳを未だ提供していないセルを再選択する可能性があるからである。
【課題を解決するための手段】
【００１８】
本発明に係る実施形態は、ＵＥがＭＢＭＳデータを受信する連続性を高めるセルの再選択方法および装置を提供する。
【００１９】
セルの再選択方法は、アイドル状態である端末が、伝送中のマルチメディアブロードキャスト・マルチキャストサービスＭＢＭＳの情報を獲得するステップと、前記端末が、ＭＢＭＳ伝送が位置する周波数点の優先順位を最も高く設定するステップと、前記端末が、設定後の周波数点の優先順位に基づき、セルを再選択するステップとを備える。
【００２０】
端末は、アイドル状態である場合、伝送中のマルチメディアブロードキャスト・マルチキャストサービスＭＢＭＳの情報を獲得する、情報獲得ユニットと、ＭＢＭＳ伝送が位置する周波数点の優先順位を最も高く設定する、優先順位設定ユニットと、設定後の周波数点の優先順位に基づき、セルを再選択する、セルの再選択ユニットとを備える。  
【発明の効果】
【００２１】
本発明によれば、アイドル状態である端末が伝送中のＭＢＭＳの情報を獲得する獲得後、ＭＢＭＳ伝送が位置する周波数点の優先順位を最も高く設定し、かつ設定後の周波数点の優先順位に基づき、セルを再選択する。本発明において、ＭＢＭＳ伝送が位置する周波数点の優先順位を最も高く設定することにより、端末はセルの再選択過程にてＭＢＭＳ伝送が位置する周波数点のセルを再選択する確率を増やすことができ、端末が当該セルにおいてＭＢＭＳデータを受信できることは明らかである。これにより、ＵＥがＭＢＭＳデータを受信する連続性を高め、ユーザー体験を強化する。
【図面の簡単な説明】
【００２２】
【図１】従来技術においてＭＢＭＳサービスエリアとＭＢＳＦＮエリアの関係を示す図である。
【図２】本発明に係る実施形態における方法のフローを示す図である。
【図３】本発明に係る実施形態における装置構造を示す図である。
【発明を実施するための形態】
【００２３】
ＵＥがＭＢＭＳデータを受信する連続性を高めるため、本発明に係る実施形態は、セルの再選択方法を提供する。本方法において、アイドル状態である端末が伝送中のＭＢＭＳの情報を獲得後、ＭＢＭＳ伝送が位置する周波数点の優先順位を最も高く設定し、かつ後続のセルを再選択する。
【００２４】
図２は、本発明に係るセルの再選択方法であり、以下のステップ２０からステップ２２を備える。
【００２５】
ステップ２０において、アイドル状態である端末は、伝送中のＭＢＭＳの情報を獲得する。
【００２６】
ステップ２１において、前記端末は、ＭＢＭＳ伝送が位置する周波数点の優先順位を最も高く設定する。ここでの最も高い優先順位は、システムにすでに存在する全周波数点の優先順位より高い優先順位を示す。例えば、現在のＬＴＥシステムにおいて、周波数点の優先順位は、０〜７の整数である。即ち、８つの周波数点の優先順位を含む。ここで、０は優先順位が最も低く、７は優先順位が最も高いので、ＭＢＭＳ伝送が位置する周波数点の優先順位を８と設定できる。  
【００２７】
ステップ２２において、前記端末は、設定後の周波数点の優先順位に基づき、セルを再選択する。セルを再選択する際は、背景技術における再選択ルールを遵守する。  
【００２８】
ステップ２０において、アイドル状態である端末による伝送中のＭＢＭＳの情報の獲得は、具体的な実現において以下の３つの方式を用いることができる。
【００２９】
〈方式１〉
ＵＥは、各隣接セルのブロードキャスト情報を読み取る。読み取ったブロードキャスト情報に基づき、どの隣接セルがＭＢＭＳを伝送しているかを確認し、かつ伝送中のＭＢＭＳの関連情報を獲得する。同時に、ＭＢＭＳを伝送している隣接セルの周波数点を確認できる。  
【００３０】
〈方式２〉
ＵＥは、常駐しているセルのブロードキャスト情報を読み取る。読み取ったブロードキャスト情報に基づき、どの隣接セルがＭＢＭＳを伝送しているかを確認する。そして、ＭＢＭＳを伝送している隣接セルのブロードキャスト情報を読み取り、当該ブロードキャスト情報から伝送中のＭＢＭＳの関連情報を獲得する。同時に、ＭＢＭＳを伝送している隣接セルの周波数点を確認できる。  
【００３１】
〈方式３〉
ＵＥは、常駐しているセルのブロードキャスト情報を読み取る。読み取ったブロードキャスト情報に基づき、どの隣接セルがＭＢＭＳを伝送しているかを確認し、かつ伝送中のＭＢＭＳの関連情報を獲得する。同時に、ＭＢＭＳを伝送している隣接セルの周波数点を確認できる。  
【００３２】
実施形態の１つとして、ステップ２０において、アイドル状態である端末が伝送中のＭＢＭＳの情報を獲得後、かつステップ２１において、端末が、ＭＢＭＳ伝送が位置する周波数点の優先順位を最も高く設定する前に、端末は直接再選択過程を介して、ＭＢＭＳ伝送が位置する周波数点のセルに常駐できる。  
【００３３】
これに応じて、端末が、ＭＢＭＳ伝送が位置する周波数点のセルに常駐後、かつステップ２２において、端末が設定後の周波数点の優先順位に基づき、セルを再選択する前に、端末はＭＢＭＳ伝送が位置する周波数点のセルにてＭＢＭＳデータを受信できる。  
【００３４】
好ましくは、ステップ２０において、アイドル状態である端末が伝送中のＭＢＭＳの情報を獲得後、かつ端末はＭＢＭＳ伝送が位置する周波数点のセルに常駐する前に、端末はまず、伝送中のＭＢＭＳのうち、自身が興味を持つＭＢＭＳが存在するか否かを判断できる。もし自身が興味を持つＭＢＭＳが存在すれば、端末はＭＢＭＳ伝送が位置する周波数点のセルに常駐する。存在しなければ、ＭＢＭＳ伝送が位置する周波数点のセルに常駐しない。
【００３５】
ここで、端末による伝送中のＭＢＭＳのうち、自身が興味を持つＭＢＭＳが存在するか否かの判断は、具体的に端末応用層との相互作用により、端末が現在受信する必要があるのはどのＭＢＭＳのデータであるかを確認できる。現在受信しなければならないＭＢＭＳは、即ち、端末が興味を持つＭＢＭＳである。
【００３６】
別の実施形態として、ステップ２０において、アイドル状態である端末が伝送中のＭＢＭＳの情報を獲得後、かつステップ２１において、端末が、ＭＢＭＳ伝送が位置する周波数点の優先順位を最も高く設定する前に、端末は、まず伝送中のＭＢＭＳのうち、自身が興味を持つＭＢＭＳが存在するか否かを判断できる。もし自身が興味を持つＭＢＭＳが存在すれば、ＭＢＭＳ伝送が位置する周波数点の優先順位を最も高く設定する。存在しなければ、ＭＢＭＳ伝送が位置する周波数点の優先順位を最も高く設定しない。  
【００３７】
ここで、端末による伝送中のＭＢＭＳにおいて、自身が興味を持つＭＢＭＳが存在するか否かの判断は、具体的に端末応用層との相互作用により、端末が現在受信する必要があるのはどのＭＢＭＳのデータであるかを確認できる。現在受信しなければならないＭＢＭＳは、即ち、端末が興味を持つＭＢＭＳである。
【００３８】
これに応じて、ステップ２２において、端末が設定後の周波数点の優先順位に基づき、セルを再選択後、もし当該端末ＭＢＭＳ伝送が位置する周波数点のセルを再選択すれば、ＭＢＭＳ伝送が位置する周波数点のセルにてＭＢＭＳデータを受信する。
【００３９】
前記２つの実施形態について、もし端末がＭＢＭＳデータを受信する過程にて、セルの再選択過程を介して、ＭＢＭＳ伝送が位置する周波数点以外の他の周波数点のセルを再選択し、かつ現在の端末がいまだ前記ＭＢＭＳデータを受信し続けなければならないならば、端末はＭＢＭＳ伝送が位置する周波数点の優先順位を最も高く保持する。さらに従来の再選択ルールに基づき、後続のセルの再選択過程を実行する。
【００４０】
または、もしＭＢＭＳ伝送が終了する、または端末が前記ＭＢＭＳデータを受信し続けなくてもよいならば、端末はＭＢＭＳ伝送が位置する周波数点の優先順位を、ネットワーク側が当該周波数点に割り当てる優先順位に回復する。かつ従来の再選択ルールに基づき、後続のセルの再選択過程を実行する。
【００４１】
好ましくは、アイドル状態である端末が伝送中のＭＢＭＳの情報を獲得する前に、端末は、まずＭＢＭＳデータを現在受信しなければならないか否かを判断できる。もし受信しなければならないならば、伝送中のＭＢＭＳの情報を獲得する。受信しなくてもよいのであれば、当該情報を獲得しない。ここで、端末は具体的に、端末応用層との相互作用により、端末がＭＢＭＳデータを現在受信しなければならないか否かを確認できる。
【００４２】
以下に具体的な実施形態と結合して本発明を詳細に記述する。
【００４３】
本発明の基本的な内容は、アイドル状態であるＵＥＭＢＭＳサービスが伝送中（ｏｎｇｏｉｎｇ）の情報を獲得後、ＭＢＭＳ周波数点を最も高い優先順位（すでに割り当てた全周波数点の優先順位より高い）に設定する。そして、セルの再選択過程を実行する。  
【００４４】
具体的に、以下の方式１と方式２を備える。
【００４５】
〈方式１〉
アイドル状態であるＵＥＭＢＭＳサービスは伝送中（ｏｎｇｏｉｎｇ）の情報を獲得後、目下の常駐セルの周波数点の優先順位を考慮せず、直接ＭＢＭＳ周波数点のセルを再選択する。そして、ＭＢＭＳ周波数点を最も高い優先順位に設定する（すでに存在する全周波数点の優先順位より高い）。かつセルを再選択する。
【００４６】
〈方式２〉
アイドル状態であるＵＥＭＢＭＳサービスが伝送中（ｏｎｇｏｉｎｇ）の情報を獲得後、直接ＭＢＭＳ周波数点を最も高い優先順位に設定する（すでに存在する全周波数点の優先順位より高い）。そして、セルの再選択過程を実行する。
【００４７】
実施形態１．
前記方式１に対応して、現在のネットワークにおいて、周波数点ｆ１にてのみＭＢＭＳを伝送し、ＵＥはアイドル状態にある。かつ周波数点ｆ２（または他の非ｆ１である周波数点）に常駐する。ネットワークがすでに割り当てた周波数点の優先順位は、ｆ１の優先順位は０、ｆ２の優先順位は４、ｆ３の優先順位は７である。０は優先順位が最も低く、７は優先順位が最も高い。具体的なフローは、以下のステップ１からステップ３を備える。
【００４８】
ステップ１において、ＵＥは一定の方法により、現在の周波数点ｆ１にて伝送中のＭＢＭＳの情報を獲得する。ＵＥはｆ１にて伝送中のＭＢＭＳにおいて、本ＵＥが興味を持つ（ｏｎ  ｉｎｔｅｒｅｓｔ）ＭＢＭＳが存在するか否かを判断する。もしｆ１にて伝送中のＭＢＭＳのうち、当該ＵＥが現在興味を持つＭＢＭＳが存在すれば、ＵＥ直接ｆ１におけるセルを再選択する。当該ｆ１におけるセルは、基本的なセルの選択基準を満たさなければならない。即ち、正常に常駐できる。
【００４９】
ステップ２において、ＵＥがｆ１におけるセルに常駐後、ｆ１を優先順位が最も高い周波数点に設定し、ｆ１にてすでに分配された優先順位０は考慮しない。現在すでに存在する全周波数点の優先順位より高い、当該最も高い優先順位は、即ち、ｆ３より高い優先順位７である。同時に、ＵＥは自身が興味を持つＭＢＭＳデータを受信し始め、かつ一般的なセルの再選択を実行し続ける。
【００５０】
ステップ３において、後続の再選択過程において、ＵＥはＭＢＭＳデータを受信する際に周波数点ｆ１を離れる。即ち、ＵＥはｆ１以外の他の周波数点のセルを再選択し、かつ現在のＵＥはいまだＭＢＭＳデータを受信し続けなければならない（即ち、いまだｆ１におけるＭＢＭＳに興味を持つ）ので、ＵＥはいまだｆ１の優先順位を最も高く保持する（現在すでに存在する全周波数点の優先順位より高い）。かつセルを再選択し続ける。
【００５１】
実施形態２．
前記方式１に対応して、現在のネットワークにおいて周波数点ｆ１にてのみＭＢＭＳを伝送し、ＵＥはアイドル状態にある。かつ周波数点ｆ２（または他の非ｆ１である周波数点）に常駐する。ネットワークがすでに分配した周波数点の優先順位は、ｆ１の優先順位は０、ｆ２の優先順位は４、ｆ３の優先順位は７である。０は優先順位が最も低く、７は優先順位が最も高い。具体的なフローは、以下のステップ１からステップ３を備える。
【００５２】
ステップ１において、ＵＥは一定の方法により、現在の周波数点ｆ１にて伝送中のＭＢＭＳの情報を獲得する。ＵＥはｆ１にて伝送中のＭＢＭＳにおいて、本ＵＥが興味を持つ（ｏｎ  ｉｎｔｅｒｅｓｔ）ＭＢＭＳが存在するか否かを判断する。もしｆ１にて伝送中のＭＢＭＳにおいて、当該ＵＥが現在興味を持つＭＢＭＳが存在すれば、ＵＥは直接ｆ１におけるセルを再選択する。当該ｆ１におけるセルは、基本的なセルの選択基準を満たさなければならない。即ち、正常に常駐できる。
【００５３】
ステップ２において、ＵＥがｆ１におけるセルに常駐後、ｆ１を優先順位が最も高い周波数点に設定し、ｆ１にてすでに分配された優先順位０は考慮しない。現在すでに存在する全周波数点の優先順位より高い、当該優先順位が最も高い周波数点は、即ち、ｆ３より高い優先順位７である。同時に、ＵＥはそれが興味を持つＭＢＭＳデータを受信し始める。かつ一般的なセルの再選択を実行し続ける。
【００５４】
ステップ３において、ＵＥがｆ１におけるセルに常駐する場合、それが受信したＭＢＭＳデータ送信停止される。または、ＵＥは当該ＭＢＭＳデータを受信し続けなくてもよい（即ち、当該ＭＢＭＳ興味を持たない）ので、ＵＥはｆ１が優先順位の最も高い周波数点であると認識せず、ｆ１の優先順位をネットワーク側が当該周波数点に割り当てる優先順位に回復する（例、ｆ１に分配した優先順位は０である）。かつ後続のセルの再選択過程を実行する。
【００５５】
実施形態３．
前記方式２に対応して、現在のネットワークにおいて、周波数点ｆ１にてのみＭＢＭＳを伝送し、ＵＥはアイドル状態にある。かつ周波数点ｆ２（または他の非ｆ１である周波数点）にて常駐する。ネットワークがすでに分配した周波数点の優先順位は、ｆ１の優先順位は０、ｆ２の優先順位は４、ｆ３の優先順位は７である。０は優先順位が最も低く、７は優先順位が最も高い。具体的なフローは、以下のステップ１からステップ３を備える。
【００５６】
ステップ１において、ＵＥは一定の方法により、現在の周波数点ｆ１にて伝送中のＭＢＭＳの情報を獲得する。ＵＥはｆ１にて伝送中のＭＢＭＳにおいて、本ＵＥが興味を持つ（ｏｎ  ｉｎｔｅｒｅｓｔ）ＭＢＭＳが存在するか否かを判断する。もしｆ１にて伝送中のＭＢＭＳのうち、当該ＵＥが現在興味を持つＭＢＭＳが存在すれば、ＵＥは直接周波数点ｆ１（ＭＢＭＳ周波数点）の優先順位を最も高く設定し、ｆ１にてすでに分配された優先順位０は考慮しない。現在すでに存在する全周波数点の優先順位より高い、当該最も高い優先順位は、即ち、ｆ３より高い優先順位７である。かつ後続のセルの再選択過程を実行する。
【００５７】
ステップ２：もしＵＥが周波数点ｆ１を再選すれば、ＭＢＭＳデータを受信し始める。同時に、周波数点ｆ１は優先順位が最も高い周波数点であることを保持し続ける。かつ一般的なセルの再選択を実行し続ける。
【００５８】
ステップ３において、後続の再選択過程において、ＵＥは、ＭＢＭＳデータを受信する際に周波数点ｆ１を離れる。即ち、ＵＥはｆ１以外の他の周波数点のセルを再選択し、かつ現在のＵＥはいまだＭＢＭＳデータを受信し続けなければならない（即ち、いまだｆ１におけるＭＢＭＳに興味を持つ）ので、ＵＥはいまだｆ１の優先順位を最も高く保持する（現在すでに存在する全周波数点の優先順位より高い）。かつセルを再選択し続ける。
【００５９】
実施形態４．
前記方式２に対応して、現在のネットワークにおいて、周波数点ｆ１にてのみＭＢＭＳを伝送し、ＵＥはアイドル状態にある。かつ周波数点ｆ２（または他の非ｆ１である周波数点）に常駐する。ネットワークがすでに分配した周波数点の優先順位は、ｆ１の優先順位は０、ｆ２の優先順位は４、ｆ３の優先順位は７である。０は優先順位が最も低く、７は優先順位が最も高い。具体的に、以下のステップ１からステップ３を備える。
【００６０】
ステップ１において、ＵＥは一定の方法により、現在の周波数点ｆ１にて伝送中のＭＢＭＳの情報を獲得する。ＵＥはｆ１にて伝送中のＭＢＭＳにおいて、本ＵＥが興味を持つ（ｏｎ  ｉｎｔｅｒｅｓｔ）ＭＢＭＳが存在するか否かを判断する。もしｆ１にて伝送中のＭＢＭＳにおいて、当該ＵＥが現在興味を持つＭＢＭＳが存在すれば、ＵＥは直接周波数点ｆ１（ＭＢＭＳ周波数点）の優先順位を最も高く設定し、ｆ１にてすでに割り当てられた優先順位０は考慮しない。現在すでに存在する全周波数点の優先順位より高い、当該最も高い優先順位は、即ち、ｆ３より高い優先順位７である。かつ後続のセルの再選択過程を実行する。
【００６１】
ステップ２において、もしＵＥが周波数点ｆ１を再選すれば、ＭＢＭＳデータを受信し始める。同時に、周波数点ｆ１は優先順位が最も高い周波数点であることを保持し続ける。かつ一般的なセルの再選択を実行し続ける。
【００６２】
ステップ３において、ＵＥがｆ１におけるセルに常駐する場合、それが受信したＭＢＭＳデータ送信停止される。または、ＵＥは当該ＭＢＭＳデータを受信し続けなくてもよい（即ち、当該ＭＢＭＳ興味を持たない）ので、ＵＥはｆ１が優先順位の最も高い周波数点であると認識せず、ｆ１の優先順位をネットワーク側が当該周波数点に割り当てる優先順位に回復する（例、ｆ１に分配した優先順位は０である）。かつ後続のセルの再選択過程を実行する。
【００６３】
図３に示した、本発明に係る端末は、アイドル状態である場合、伝送中のマルチメディアブロードキャスト・マルチキャストサービスＭＢＭＳの情報を獲得する、情報獲得ユニット３０と、ＭＢＭＳ伝送が位置する周波数点の優先順位を最も高く設定する、優先順位設定ユニット３１と、設定後の周波数点の優先順位に基づき、セルを再選択する、セルの再選択ユニット３２とを備える。
【００６４】
当該端末は、伝送中のＭＢＭＳの情報を獲得後、かつＭＢＭＳ伝送が位置する周波数点の優先順位を最も高く設定する前に、ＭＢＭＳ伝送が位置する周波数点のセルに常駐する、常駐ユニット３３をさらに備える。
【００６５】
当該端末は、ＭＢＭＳ伝送が位置する周波数点のセルに常駐後、かつ設定後の周波数点の優先順位に基づき、セルを再選択する前に、ＭＢＭＳ伝送が位置する周波数点のセルにてＭＢＭＳデータを受信する、第１受信ユニット３４をさらに備える。
【００６６】
当該端末は、伝送中のＭＢＭＳの情報を獲得後、かつＭＢＭＳ伝送が位置する周波数点のセルに常駐する前に、伝送中のＭＢＭＳにおいて自身に興味を持つＭＢＭＳが存在するか否かを判断する、第１判断ユニット３５をさらに備え、前記常駐ユニット３３は、伝送中のＭＢＭＳにおいて自身に興味を持つＭＢＭＳが存在すると判断した場合、ＭＢＭＳ伝送が位置する周波数点のセルに常駐する。
【００６７】
当該端末は、伝送中のＭＢＭＳの情報を獲得後、かつＭＢＭＳ伝送が位置する周波数点の優先順位を最も高く設定する前に、伝送中のＭＢＭＳにおいて自身に興味を持つＭＢＭＳが存在するか否かを判断する、第２判断ユニット３６をさらに備える。
【００６８】
前記優先順位設定ユニット３１は、伝送中のＭＢＭＳにおいて自身が興味を持つＭＢＭＳが存在すると判断した場合、ＭＢＭＳ伝送が位置する周波数点の優先順位を最も高く設定する。
【００６９】
当該端末は、設定後の周波数点の優先順位に基づき、セルを再選択後、もしＭＢＭＳ伝送が位置する周波数点のセルを再選択すれば、ＭＢＭＳ伝送が位置する周波数点のセルにてＭＢＭＳデータを受信する、第２受信ユニット３７をさらに備える。
【００７０】
前記優先順位設定ユニット３１は、もし後続のセルの再選択過程にてＭＢＭＳ伝送が位置する周波数点以外の他の周波数点のセルを再選択し、かつ現在の端末がいまだ前記ＭＢＭＳデータを受信し続けなければならないならば、ＭＢＭＳ伝送が位置する周波数点の優先順位を最も高く保持する。
または、もしＭＢＭＳ伝送が終了する、または、端末が前記ＭＢＭＳデータを受信し続けなくてもよいならば、ＭＢＭＳ伝送が位置する周波数点の優先順位をネットワーク側が当該周波数点に割り当てる優先順位に回復する。
【００７１】
当該端末は、伝送中のＭＢＭＳの情報を獲得する前に、ＭＢＭＳデータを現在受信しなければならないか否かを判断する、第３判断ユニット３８をさらに備える。
【００７２】
前記情報獲得ユニット３０は、ＭＢＭＳデータを現在受信しなければならないと判断後、伝送中のＭＢＭＳの情報を獲得する。
【００７３】
総じて、本発明の有益な效果は、本発明に係る実施形態が提供する技術案によれば、アイドル状態である端末が伝送中のＭＢＭＳの情報を獲得後、ＭＢＭＳ伝送が位置する周波数点の優先順位を最も高く設定し、かつ設定後の周波数点の優先順位に基づき、セルを再選択する。本発明において、ＭＢＭＳ伝送が位置する周波数点の優先順位を最も高く設定することにより、端末はセルの再選択過程にてＭＢＭＳ伝送が位置する周波数点のセルを再選択する確率を増やすことができ、端末が当該セルにおいてＭＢＭＳデータを受信できることは明らかである。これにより、ＵＥがＭＢＭＳデータを受信する連続性を高め、ユーザー体験を強化する。
【００７４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００７５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００７６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００７７】
これらコンピュータプログラム指令はさらに、コンピュータ或いは他のプログラム可能なデータ処理装置に実装もできる。コンピュータプログラム指令が実装されたコンピュータ或いは他のプログラム可能装置は、一連の操作ステップを実行することによって、関連の処理を実現し、コンピュータ或いは他のプログラム可能な装置において実行される指令によって、フロー図における一つ或いは複数のフローおよび／またはブロック図における一つ或いは複数のブロックに指定する機能を実現する。
【００７８】
上述した実施形態に記述された技術的な解決手段を改造し、或いはその中の一部の技術要素を置換することもできる。そのような、改造と置換は本発明の各実施形態の技術の範囲から逸脱するとはみなされない。
【００７９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとはみなされない。そのような改造と置換は、すべて本発明の請求の範囲に属する。
【００８０】
本出願は、２０１１年６月１０日に中国特許局に提出し、出願番号が２０１１１０１５５４６３．１であり、発明名称が「セルの再選択方法および装置」である中国特許出願を基礎とする優先権を主張し、その開示の総てをここに取り込む。
【図１】
2014516230.tif 000003
【図２】
2014516230.tif 000004
【図３】
2014516230.tif 000005
【国際調査報告】
2014516230.tif 000006
2014516230.tif 000007
2014516230.tif 000008
2014516230.tif 000009